(57)【要約】      （修正有）【課題】電子書籍の内容に関連する参照情報を提示することが可能な参照情報提示装置等を提供する。【解決手段】コンテンツ表示画面５１には、ユーザによって閲覧指示されたコンテンツを表示させるためのコンテンツ表示エリア５２、およびコンテンツ表示エリア５２に表示されているコンテンツの内容に関連する参照コンテンツを表示させるための参照コンテンツ表示エリア５３が表示されている。参照コンテンツ表示エリア５３に表示されている参照コンテンツＡ〜Ｄは、コンテンツ表示エリア５２に表示されている電子書籍（起点コンテンツ）の内容との類似度が高いものとして提示されている。【選択図】図７
2014191417.tif 000002
【特許請求の範囲】
【請求項１】
電子書籍に関する情報、および前記電子書籍に関する情報に含まれる重要語を紐付けて記憶する第１の記憶手段と、
参照情報に関する情報、および前記参照情報に含まれる重要語を紐付けて記憶する第２の記憶手段と、
前記電子書籍の閲覧が指示されると、前記第１の記憶手段から閲覧が指示された前記電子書籍に紐付けられた重要語を読み出し、前記第２の記憶手段に記憶されている前記参照情報に紐付けられた重要語との類似度を計算し、類似度が高い前記参照情報を決定する参照情報決定手段と、
前記参照情報決定手段により決定された前記参照情報を、前記電子書籍とともに第１の表示画面上に提示する提示手段と、
を備えることを特徴とする参照情報提示装置。
【請求項２】
前記参照情報を選択させる選択手段を、さらに備え、
前記参照情報決定手段は、前記第１の表示画面上に提示された前記参照情報が選択された場合、当該参照情報に紐付けられた重要語と、前記第２の記憶手段に記憶されている他の参照情報に紐付けられた重要語との類似度を計算し、類似度が高い前記他の参照情報を決定し、
前記提示手段は、前記参照情報決定手段により決定された前記他の参照情報を第２の表示画面上に提示する
ことを特徴とする請求項１に記載の参照情報提示装置。
【請求項３】
前記提示手段は、前記第２の表示画面を前記第１の表示画面の一部に重ねて提示する
ことを特徴とする請求項２に記載の参照情報提示装置。
【請求項４】
前記参照情報は、電子書籍に関する情報、ＷＥＢ記事、画像に関する情報、映像に関する情報、商品に関する情報、場所に関する情報、著者に関する情報、読者に関する情報のうち、少なくとも１つを含む
ことを特徴とする請求項１乃至請求項３のいずれかに記載の参照情報提示装置。
【請求項５】
電子書籍に関する情報、および前記電子書籍に関する情報に含まれる重要語を紐付けて記憶する第１の記憶手段と、
参照情報に関する情報、および前記参照情報に含まれる重要語を紐付けて記憶する第２の記憶手段と、
を備えるコンピュータが行う参照情報提示方法であって、
前記電子書籍の閲覧が指示されると、前記第１の記憶手段から閲覧が指示された前記電子書籍に紐付けられた重要語を読み出し、前記第２の記憶手段に記憶されている前記参照情報に紐付けられた重要語との類似度を計算し、類似度が高い前記参照情報を決定する参照情報決定ステップと、
前記参照情報決定ステップにより決定された前記参照情報を、前記電子書籍とともに表示画面上に提示する提示ステップと、
を含むことを特徴とする参照情報提示方法。
【請求項６】
電子書籍に関する情報、および前記電子書籍に関する情報に含まれる重要語を紐付けて記憶する第１の記憶手段と、
参照情報に関する情報、および前記参照情報に含まれる重要語を紐付けて記憶する第２の記憶手段と、
を備えるコンピュータを、
前記電子書籍の閲覧が指示されると、前記第１の記憶手段から閲覧が指示された前記電子書籍に紐付けられた重要語を読み出し、前記第２の記憶手段に記憶されている前記参照情報に紐付けられた重要語との類似度を計算し、類似度が高い前記参照情報を決定する参照情報決定手段、
前記参照情報決定手段により決定された前記参照情報を、前記電子書籍とともに表示画面上に提示する提示手段、
として機能させるためのプログラム。
【請求項７】
サーバと端末とがネットワークを介して接続される参照情報提示システムであって、
前記サーバは、
電子書籍に関する情報、および前記電子書籍に関する情報に含まれる重要語を紐付けて記憶する第１の記憶手段と、
参照情報に関する情報、および前記参照情報に含まれる重要語を紐付けて記憶する第２の記憶手段と、
前記端末から前記電子書籍の閲覧が指示されると、前記第１の記憶手段から閲覧が指示された前記電子書籍に紐付けられた重要語を読み出し、前記第２の記憶手段に記憶されている前記参照情報に紐付けられた重要語との類似度を計算し、類似度が高い前記参照情報を決定する参照情報決定手段と、
前記参照情報決定手段により決定された前記参照情報を前記電子書籍にパッケージ化して配信する配信手段と、
を備え、
前記端末は、
前記電子書籍の閲覧指示に基づいて配信されてきた、前記参照情報がパッケージ化された前記電子書籍を受信し、前記電子書籍とともに前記参照情報を表示画面上に提示する提示手段と、
を備えることを特徴とする参照情報提示システム。
【請求項８】
電子書籍に関する情報を記憶する第１の記憶手段と、
参照情報に関する情報、および前記参照情報に含まれる重要語を紐付けて記憶する第２の記憶手段と、
前記電子書籍の閲覧が指示されると、前記第１の記憶手段から閲覧が指示された前記電子書籍を読み出し、第１の表示画面に提示する提示手段と、
前記第１の表示画面に提示された前記電子書籍で所定のキーワードが選択された場合、選択されたキーワードから重要語を決定する重要語決定手段と、
前記重要語決定手段により決定された前記重要語と、前記第２の記憶手段に記憶されている前記参照情報に紐付けられた重要語との類似度を計算し、類似度が高い参照情報を決定する参照情報決定手段と、
を備え、
前記提示手段は、前記参照情報決定手段により決定された前記参照情報を、前記第１の表示画面上にさらに提示する
ことを特徴とする参照情報提示装置。
【請求項９】
前記参照情報を選択させる選択手段を、さらに備え、
前記参照情報決定手段は、前記第１の表示画面上に提示された前記参照情報が選択された場合、当該参照情報に紐付けられた前記重要語と、前記第２の記憶手段に記憶されている他の参照情報に紐付けられた重要語との類似度を計算し、類似度が高い前記他の参照情報を決定し、
前記提示手段は、前記参照情報決定手段により決定された前記他の参照情報を第２の表示画面上に提示する
ことを特徴とする請求項８に記載の参照情報提示装置。
【請求項１０】
前記提示手段は、前記第２の表示画面を前記第１の表示画面の一部に重ねて提示する
ことを特徴とする請求項９に記載の参照情報提示装置。
【請求項１１】
前記参照情報は、電子書籍に関する情報、ＷＥＢ記事、画像に関する情報、映像に関する情報、商品に関する情報、場所に関する情報、著者に関する情報、読者に関する情報のうち、少なくとも１つを含む
ことを特徴とする請求項８乃至請求項１０のいずれかに記載の参照情報提示装置。
【請求項１２】
電子書籍に関する情報を記憶する第１の記憶手段と、
参照情報に関する情報、および前記参照情報に含まれる重要語を紐付けて記憶する第２の記憶手段と、
を備えるコンピュータが行う参照情報提示方法であって、
前記電子書籍の閲覧が指示されると、前記第１の記憶手段から閲覧が指示された前記電子書籍を読み出し、表示画面に提示する提示ステップと、
前記表示画面に提示された前記電子書籍で所定のキーワードが選択された場合、選択されたキーワードから重要語を決定する重要語決定ステップと、
前記重要語決定ステップで決定された前記重要語と、前記第２の記憶手段に記憶されている前記参照情報に紐付けられた重要語との類似度を計算し、類似度が高い参照情報を決定する参照情報決定ステップと、
を含み、
前記提示ステップは、前記参照情報決定ステップで決定された前記参照情報を、前記表示画面上にさらに提示する
ことを特徴とする参照情報提示方法。
【請求項１３】
電子書籍に関する情報を記憶する第１の記憶手段と、
参照情報に関する情報、および前記参照情報に含まれる重要語を紐付けて記憶する第２の記憶手段と、
を備えるコンピュータを、
前記電子書籍の閲覧が指示されると、前記第１の記憶手段から閲覧が指示された電子書籍を読み出し、表示画面に提示する提示手段、
前記表示画面に提示された前記電子書籍で所定のキーワードが選択された場合、選択されたキーワードから重要語を決定する重要語決定手段、
前記重要語決定手段により決定された前記重要語と、前記第２の記憶手段に記憶されている前記参照情報に紐付けられた重要語との類似度を計算し、類似度が高い参照情報を決定する参照情報決定手段、
として機能させ、
前記提示手段は、前記参照情報決定手段により決定された前記参照情報を、前記表示画面上にさらに提示する
ことを特徴とするプログラム。
【請求項１４】
サーバと端末とがネットワークを介して接続される参照情報提示システムであって、
前記サーバは、
電子書籍に関する情報を記憶する第１の記憶手段と、
参照情報に関する情報、および前記参照情報に含まれる重要語を紐付けて記憶する第２の記憶手段と、
前記端末から電子書籍の閲覧が指示されると、前記第１の記憶手段から閲覧が指示された電子書籍を読み出し、配信する配信手段と、
前記端末から送信されるキーワードを受信し、前記キーワードから重要語を決定する重要語決定手段と、
前記重要語決定手段により決定された前記重要語と、前記第２の記憶手段に記憶されている前記参照情報に紐付けられた重要語との類似度を計算し、類似度が高い参照情報を決定する参照情報決定手段と、
を備え、
前記配信手段は、前記参照情報決定手段により決定された前記参照情報をさらに配信し、
前記端末は、
前記サーバから配信された前記電子書籍を表示画面に提示する提示手段と、
前記表示画面上に提示された前記電子書籍で所定のキーワードが選択された場合、選択された前記所定のキーワードを前記サーバに送信する送信手段と、
を備え、
前記提示手段は、前記所定のキーワードに基づいて配信されてきた、前記参照情報を受信し、前記表示画面上にさらに提示する
ことを特徴とする参照情報提示システム。
【発明の詳細な説明】
【技術分野】
【０００１】
本発明は、閲覧している電子書籍に関連する参照情報を提示する参照情報提示装置等に関するものである。
【背景技術】
【０００２】
近年、インターネットショッピングなどでよく使用される、利用者の興味のありそうな商品やサービスを推薦するシステム（いわゆるレコメンドシステム）がある。例えば、ある書籍の関連商品を推薦する場合、レコメンドシステムでは、その書籍を購入した他のユーザの購入履歴等を解析し、その中に潜む項目間の相関関係やパターンなどから関連商品を推薦している。
【０００３】
また、近年、小説や漫画などのコンテンツが電子化され、電子書籍として普及しつつある。このような電子書籍は、携帯電話やPDA（Personal Digital Assistant）などの携帯用端末で利用される。ユーザは、携帯用端末に表示させた電子書籍の読書中に、知らない単語や、もっと詳しく知りたい内容が出現する場合がある。
【０００４】
例えば、特許文献１には、キーワードを入力して関連書籍を検索したり、あるいは、表示されている文章中のキーワードを選択することで、そのキーワードを含む書籍を検索したりする技術が提案されている（例えば、特許文献１）。
【先行技術文献】
【特許文献】
【０００５】
【特許文献１】特開２００３−１２２７７９号公報
【発明の概要】
【発明が解決しようとする課題】
【０００６】
レコメンドシステムでは、書籍に対する関連商品の推薦になっているため、書籍内の文章等の内容を深めるための推薦にはなっていない課題があった。
【０００７】
また、特許文献１に記載の技術では、書籍内のキーワードを含む関連書籍を検索することはできるものの、書籍以外の関連商品や関連Ｗｅｂサイト等を検索することができない課題があった。
【０００８】
本発明は、前述した問題点に鑑みてなされたもので、その目的とすることは、電子書籍が表示されている画面上に、電子書籍の内容に関連する参照情報を表示させることが可能な参照情報提示装置などを提供することである。
【課題を解決するための手段】
【０００９】
前述した目的を達成するための第１の発明は、電子書籍に関する情報、および前記電子書籍に関する情報に含まれる重要語を紐付けて記憶する第１の記憶手段と、参照情報に関する情報、および前記参照情報に含まれる重要語を紐付けて記憶する第２の記憶手段と、前記電子書籍の閲覧が指示されると、前記第１の記憶手段から閲覧が指示された前記電子書籍に紐付けられた重要語を読み出し、前記第２の記憶手段に記憶されている前記参照情報に紐付けられた重要語との類似度を計算し、類似度が高い前記参照情報を決定する参照情報決定手段と、前記参照情報決定手段により決定された前記参照情報を、前記電子書籍とともに第１の表示画面上に提示する提示手段と、を備えることを特徴とする参照情報提示装置である。
第１の発明によって、電子書籍の内容に関連する参照情報を提示することが可能となる。
【００１０】
前記参照情報を選択させる選択手段を、さらに備え、前記参照情報決定手段は、前記第１の表示画面上に提示された前記参照情報が選択された場合、当該参照情報に紐付けられた重要語と、前記第２の記憶手段に記憶されている他の参照情報に紐付けられた重要語との類似度を計算し、類似度が高い前記他の参照情報を決定し、前記提示手段は、前記参照情報決定手段により決定された前記他の参照情報を第２の表示画面上に提示する。
これによって、電子書籍の表示画面を残しつつ、電子書籍の内容に関連する参照情報の表示画面を表示することができる。
【００１１】
前記提示手段は、前記第２の表示画面を前記第１の表示画面の一部に重ねて提示する。
これによって、電子書籍と参照情報とのつながりが分かり易くなる。
【００１２】
前記参照情報は、電子書籍に関する情報、ＷＥＢ記事、画像に関する情報、映像に関する情報、商品に関する情報、場所に関する情報、著者に関する情報、読者に関する情報のうち、少なくとも１つを含む。
これによって、電子書籍の内容に関連するさまざまな参照情報を提示することができる。
【００１３】
第２の発明は、電子書籍に関する情報、および前記電子書籍に関する情報に含まれる重要語を紐付けて記憶する第１の記憶手段と、参照情報に関する情報、および前記参照情報に含まれる重要語を紐付けて記憶する第２の記憶手段と、を備えるコンピュータが行う参照情報提示方法であって、前記電子書籍の閲覧が指示されると、前記第１の記憶手段から閲覧が指示された前記電子書籍に紐付けられた重要語を読み出し、前記第２の記憶手段に記憶されている前記参照情報に紐付けられた重要語との類似度を計算し、類似度が高い前記参照情報を決定する参照情報決定ステップと、前記参照情報決定ステップにより決定された前記参照情報を、前記電子書籍とともに表示画面上に提示する提示ステップと、を含むことを特徴とする参照情報提示方法である。
第２の発明によって、電子書籍の内容に関連する参照情報を提示することが可能となる。
【００１４】
第３の発明は、電子書籍に関する情報、および前記電子書籍に関する情報に含まれる重要語を紐付けて記憶する第１の記憶手段と、参照情報に関する情報、および前記参照情報に含まれる重要語を紐付けて記憶する第２の記憶手段と、を備えるコンピュータを、前記電子書籍の閲覧が指示されると、前記第１の記憶手段から閲覧が指示された前記電子書籍に紐付けられた重要語を読み出し、前記第２の記憶手段に記憶されている前記参照情報に紐付けられた重要語との類似度を計算し、類似度が高い前記参照情報を決定する参照情報決定手段、前記参照情報決定手段により決定された前記参照情報を、前記電子書籍とともに表示画面上に提示する提示手段、として機能させるためのプログラムである。
第３の発明のプログラムを汎用のコンピュータにインストールすることによって、第１の発明の参照情報提示装置を得ることができる。
【００１５】
第４の発明は、サーバと端末とがネットワークを介して接続される参照情報提示システムであって、前記サーバは、電子書籍に関する情報、および前記電子書籍に関する情報に含まれる重要語を紐付けて記憶する第１の記憶手段と、参照情報に関する情報、および前記参照情報に含まれる重要語を紐付けて記憶する第２の記憶手段と、前記端末から前記電子書籍の閲覧が指示されると、前記第１の記憶手段から閲覧が指示された前記電子書籍に紐付けられた重要語を読み出し、前記第２の記憶手段に記憶されている前記参照情報に紐付けられた第２の重要語との類似度を計算し、類似度が高い前記参照情報を決定する参照情報決定手段と、前記参照情報決定手段により決定された前記参照情報を前記電子書籍にパッケージ化して配信する配信手段と、を備え、前記端末は、前記電子書籍の閲覧指示に基づいて配信されてきた、前記参照情報がパッケージ化された前記電子書籍を受信し、前記電子書籍とともに前記参照情報を表示画面上に提示する提示手段と、を備えることを特徴とする参照情報提示システムである。
第４の発明によって、電子書籍の内容に関連する参照情報を提示することが可能となる。
【００１６】
第５の発明は、電子書籍に関する情報を記憶する第１の記憶手段と、参照情報に関する情報、および前記参照情報に含まれる重要語を紐付けて記憶する第２の記憶手段と、前記電子書籍の閲覧が指示されると、前記第１の記憶手段から閲覧が指示された前記電子書籍を読み出し、第１の表示画面に提示する提示手段と、前記第１の表示画面に提示された前記電子書籍で所定のキーワードが選択された場合、選択されたキーワードから重要語を決定する重要語決定手段と、前記重要語決定手段により決定された前記重要語と、前記第２の記憶手段に記憶されている前記参照情報に紐付けられた重要語との類似度を計算し、類似度が高い参照情報を決定する参照情報決定手段と、を備え、前記提示手段は、前記参照情報決定手段により決定された前記参照情報を、前記第１の表示画面上にさらに提示することを特徴とする参照情報提示装置である。
第５の発明によって、電子書籍内で選択されたキーワードに関連する参照情報を提示することが可能となる。
【００１７】
前記参照情報を選択させる選択手段を、さらに備え、前記参照情報決定手段は、前記第１の表示画面上に提示された前記参照情報が選択された場合、当該参照情報に紐付けられた前記重要語と、前記第２の記憶手段に記憶されている他の参照情報に紐付けられた重要語との類似度を計算し、類似度が高い前記他の参照情報を決定し、前記提示手段は、前記参照情報決定手段により決定された前記他の参照情報を第２の表示画面上に提示する。
これによって、電子書籍の表示画面を残しつつ、電子書籍内で選択されたキーワードに関連する参照情報の表示画面を表示することができる。
【００１８】
前記提示手段は、前記第２の表示画面を前記第１の表示画面の一部に重ねて提示する。
これによって、電子書籍内で選択されたキーワードと参照情報とのつながりが分かり易くなる。
【００１９】
前記参照情報は、電子書籍に関する情報、ＷＥＢ記事、画像に関する情報、映像に関する情報、商品に関する情報、場所に関する情報、著者に関する情報、読者に関する情報のうち、少なくとも１つを含む。
これによって、電子書籍内で選択されたキーワードに関連するさまざまな参照情報を提示することができる。
【００２０】
第６の発明は、電子書籍に関する情報を記憶する第１の記憶手段と、参照情報に関する情報、および前記参照情報に含まれる重要語を紐付けて記憶する第２の記憶手段と、を備えるコンピュータが行う参照情報提示方法であって、前記電子書籍の閲覧が指示されると、前記第１の記憶手段から閲覧が指示された前記電子書籍を読み出し、表示画面に提示する提示ステップと、前記表示画面に提示された前記電子書籍で所定のキーワードが選択された場合、選択されたキーワードから重要語を決定する重要語決定ステップと、前記重要語決定ステップで決定された前記重要語と、前記第２の記憶手段に記憶されている前記参照情報に紐付けられた重要語との類似度を計算し、類似度が高い参照情報を決定する参照情報決定ステップと、を含み、前記提示ステップは、前記参照情報決定ステップで決定された前記参照情報を、前記表示画面上にさらに提示することを特徴とする参照情報提示方法である。
第６の発明によって、電子書籍内で選択されたキーワードに関連する参照情報を提示することが可能となる。
【００２１】
第７の発明は、電子書籍に関する情報を記憶する第１の記憶手段と、参照情報に関する情報、および前記参照情報に含まれる重要語を紐付けて記憶する第２の記憶手段と、を備えるコンピュータを、前記電子書籍の閲覧が指示されると、前記第１の記憶手段から閲覧が指示された電子書籍を読み出し、表示画面に提示する提示手段、前記表示画面に提示された前記電子書籍で所定のキーワードが選択された場合、選択されたキーワードから重要語を決定する重要語決定手段、前記重要語決定手段により決定された前記重要語と、前記第２の記憶手段に記憶されている前記参照情報に紐付けられた重要語との類似度を計算し、類似度が高い参照情報を決定する参照情報決定手段、として機能させ、前記提示手段は、前記参照情報決定手段により決定された前記参照情報を、前記表示画面上にさらに提示することを特徴とするプログラムである。
第７の発明のプログラムを汎用のコンピュータにインストールすることによって、第５の発明の参照情報提示装置を得ることができる。
【００２２】
第８の発明は、サーバと端末とがネットワークを介して接続される参照情報提示システムであって、前記サーバは、電子書籍に関する情報を記憶する第１の記憶手段と、参照情報に関する情報、および前記参照情報に含まれる重要語を紐付けて記憶する第２の記憶手段と、前記端末から電子書籍の閲覧が指示されると、前記第１の記憶手段から閲覧が指示された電子書籍を読み出し、配信する配信手段と、前記端末から送信されるキーワードを受信し、前記キーワードから重要語を決定する重要語決定手段と、前記重要語決定手段により決定された前記重要語と、前記第２の記憶手段に記憶されている前記参照情報に紐付けられた重要語との類似度を計算し、類似度が高い参照情報を決定する参照情報決定手段と、を備え、前記配信手段は、前記参照情報決定手段により決定された前記参照情報をさらに配信し、前記端末は、前記サーバから配信された前記電子書籍を表示画面に提示する提示手段と、前記表示画面上に提示された前記電子書籍で所定のキーワードが選択された場合、選択された前記所定のキーワードを前記サーバに送信する送信手段と、を備え、前記提示手段は、前記所定のキーワードに基づいて配信されてきた、前記参照情報を受信し、前記表示画面上にさらに提示することを特徴とする参照情報提示システムである。
第８の発明によって、電子書籍内で選択されたキーワードに関連する参照情報を提示することが可能となる。
【発明の効果】
【００２３】
本発明により、閲覧している電子書籍の内容に関連する参照情報を提示することが可能となる。
【図面の簡単な説明】
【００２４】
【図１】本発明の実施の形態に係る参照情報提示システムの構成例を示す図である。
【図２】サーバのハードウェアの構成例を示す図である。
【図３】サーバの機能構成例を示すブロック図である。
【図４】端末の機能構成例を示すブロック図である。
【図５】第１の実施の形態のデータベース作成処理を説明するフローチャートである。
【図６】第１の実施の形態の参照情報提示処理を説明するフローチャートである。
【図７】コンテンツ表示画面の表示例を示す図である。
【図８】各コンテンツの紐付けの様子を模式的に示す図である。
【図９】図７に示すコンテンツ表示画面で参照コンテンツＢが選択された場合に表示される他のコンテンツ表示画面の表示例を示す図である。
【図１０】図９に示すコンテンツ表示画面で参照コンテンツＧが選択された場合に表示される他のコンテンツ表示画面の表示例を示す図である。
【図１１】図１０に示すコンテンツ表示画面においてボタンが押下された場合に表示される詳細情報画面の表示例を示す図である。
【図１２】図１０に示すコンテンツ表示画面において参照コンテンツＩが選択された場合に表示される他のコンテンツ表示画面の表示例を示す図である。
【図１３】図１２に示すコンテンツ表示画面においてボタンが押下された場合に表示される購入画面の表示例を示す図である。
【図１４】第２の実施の形態のデータベース作成処理を説明するフローチャートである。
【図１５】第１の実施の形態の参照情報提示処理を説明するフローチャートである。
【図１６】コンテンツ表示画面の表示例を示す図である。
【図１７】図１６に示すコンテンツ表示画面でキーワードが選択された場合に表示されるコンテンツ表示画面の表示例を示す図である。
【図１８】コンテンツ表示画面の他の表示例を示す図である。
【図１９】コンテンツ詳細情報画面のさらに他の表示例を示す図である。
【図２０】コンテンツ詳細情報画面のさらに他の表示例を示す図である。
【発明を実施するための形態】
【００２５】
以下、図面に基づいて、本発明の実施形態を詳細に説明する。
【００２６】
［本発明の第１の実施の形態］
（参照情報提示システムの構成）
図１は、本発明の第１の実施の形態に係る参照情報提示システム１の構成例を示す図である。第１の実施の形態では、閲覧指示された電子書籍の現在の画面に表示されているテキスト、章、または節といった意味のある単位における全ての品詞をもとに重要語を決定し、シーンに特化した参照情報を提示することを特徴とするものである。
【００２７】
図１に示す参照情報提示システム１は、サーバ２と端末３とがネットワーク４を介して相互に接続されることで構成される。なお、サーバ２および端末３の数は、任意であり、それぞれ複数設けることも勿論可能である。
【００２８】
サーバ２は、CPU（Central  Processing  Unit）、ROM（Read  Only  Memory）、RAM（Random  Access  Memory）、HDD（Hard  Disk  Drive）等からなるコンピュータシステムである。
【００２９】
サーバ２は、電子書籍の内容に関する情報、および、参照情報をデータベースで管理する。参照情報には、例えば、他の電子書籍、ＷＥＢ記事、画像、映像、商品情報、場所情報、著者情報、読者情報等がある。
【００３０】
サーバ２は、端末３で閲覧指示された電子書籍の内容を解析し、その内容に関連する参照情報をデータベースから読み出し、ネットワーク４を介して端末３に送信（提示）する。またサーバ２は、端末３で選択された参照情報の内容に関連する他の参照情報をデータベースから読み出し、ネットワーク４を介して端末３に送信（提示）する。
【００３１】
端末３は、CPU、ROM、RAM、入力部、および表示画面などを実装したコンピュータ等であって、例えば、パーソナルコンピュータ、スマートフォン、タブレット端末（携帯情報端末）等である。端末３は、電子書籍を閲覧するためのビューアアプリケーションが予め実装されており、利用者によってダウンロードされた電子書籍を表示する。
【００３２】
端末３は、ユーザによって所定の電子書籍の閲覧が指示されると、その電子書籍の内容に関連する参照情報の送信要求を、ネットワーク４を介してサーバ２に送信し、サーバ２から送信されてくる参照情報を受信し、ユーザに提示する。また端末３は、表示されている参照情報がユーザによって選択されると、その参照情報の内容に関連する他の参照情報の送信要求を、ネットワーク４を介してサーバ２に送信し、サーバ２から送信されてくる他の参照情報を受信し、ユーザに提示する。
【００３３】
ネットワーク４は、LAN（Local Area Network）やインターネット等のネットワークであり、有線、無線は特に問わない。
【００３４】
（サーバの構成）
図２は、サーバ２のハードウェアの構成例を示す図である。なお、図２のハードウェア構成は一例であり、用途、目的に応じて様々な構成を採ることが可能である。また、端末３も基本的にサーバ２と同様の構成を有する。
【００３５】
サーバ２を実現するコンピュータは、制御部１１、記憶部１２、メディア入出力部１３、通信制御部１４、入力部１５、表示部１６、周辺機器Ｉ／Ｆ（インターフェース）部１７等が、バス１８を介して接続される。
【００３６】
制御部１１は、CPU、ROM、RAM等で構成される。CPUは、記憶部１２、ROM、記録媒体等に格納されるプログラムをRAM上のワークメモリ領域に呼び出して実行し、バス１８を介して接続された各部を駆動制御し、サーバ２が行う後述する処理を実現する。ROMは、不揮発性メモリであり、コンピュータのブートプログラムやBIOS（Basic Input/Output System）等のプログラム、データ等を恒久的に保持している。RAMは、揮発性メモリであり、記憶部１２、ROM、記録媒体等からロードしたプログラム、データ等を一時的に保持するとともに、制御部１１が各種処理を行う為に使用するワークエリアを備える。
【００３７】
記憶部１２は、HDDであり、制御部１１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてRAMに移され、CPUに読み出されて各種の手段として実行される。
【００３８】
メディア入出力部１３（ドライブ装置）は、データの入出力を行い、例えば、ＣＤドライブ（−ＲＯＭ、−Ｒ、−ＲＷ等）、DVDドライブ（−ROM、−Ｒ、−ＲＷ等）等のメディア入出力装置を有する。通信制御部１４は、通信制御装置、通信ポート等を有し、コンピュータとネットワーク４間の通信を媒介する通信インターフェースであり、ネットワーク４を介して、他のコンピュータ間との通信制御を行う。
【００３９】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。
【００４０】
表示部１６は、液晶パネル等のディスプレイ装置、ディスプレイ装置と連携してコンピュータのビデオ機能を実現するための論理回路等（ビデオアダプタ等）を有する。
【００４１】
周辺機器Ｉ／Ｆ（インターフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、USB（Universal Serial Bus）やIEEE（The Institute of Electrical and
Electronics Engineers）１３９４やＲＳ−２３２Ｃ等で構成されており、通常複数の周辺機器Ｉ／Ｆを有する。周辺機器との接続形態は有線、無線を問わない。バス１８は、各装置間の制御信号、データ信号等の授受を媒介する経路である。
【００４２】
図３は、サーバ２の機能構成例を示すブロック図である。図３に示す機能部のうちの少なくとも一部は、図２の制御部１１により所定のプログラムが実行されることによって実現される。
【００４３】
電子化部２１は、起点となる電子書籍のHTML（HyperText Markup Language）の形式またはXML（eXtensible Markup Language）の形式等で記述されたデータを、本実施の形態で加工または処理可能なデータ（以下、起点コンテンツと称する）に電子化する。また電子化部２１は、他のコンテンツ（例えば、他の電子書籍、ＷＥＢ記事、画像、映像、商品等）のデータを、本実施の形態で加工または処理可能なデータ（以下、参照コンテンツと称する）に電子化する。
【００４４】
重要語決定部２２は、電子化部２１で電子化された起点コンテンツの内容（例えば、書籍名、著者名、本文等）における全ての品詞を形態素解析し、形態素解析の結果から抽出される品詞の単語の登場回数および登場文書数から各単語の重要度を計算し、重要度の高い単語を重要語として決定する。重要語決定部２２は、決定した重要語を、起点コンテンツに紐付けて起点コンテンツデータベース２３に記憶させる。
【００４５】
また重要語決定部２２は、電子化部２１で電子化された参照コンテンツの内容（例えば、書籍名、著者名、解説文、本文、画像ファイル名、画像タイトル、画像解説文等）を形態素解析し、形態素解析の結果から抽出される品詞の単語の登場回数を計数し、登場回数が多い単語を重要語として決定する。重要語決定部２２は、決定した重要語を、参照コンテンツに紐付けて参照コンテンツデータベース２４に記憶させる。
【００４６】
起点コンテンツデータベース２３は、電子化部２１で電子化された起点コンテンツ、および重要語決定部２２で決定された重要語を紐付けて記憶する。参照コンテンツデータベース２４は、電子化部２１で電子化された参照コンテンツ、および重要語決定部２２で決定された重要語を紐付けて記憶する。
【００４７】
参照コンテンツ決定部２５は、起点コンテンツデータベース２３に記憶されている起点コンテンツの重要語と、参照コンテンツデータベース２４に記憶されている参照コンテンツの重要語との類似度（関連度）を、ＴＦ（Term Frequency）・ＩＤＦ（Inverse Document Frequency）法により計算する。なお、ＴＦ・ＩＤＦ法は、公知の技術を利用することができる。参照コンテンツ決定部２５は、ＴＦ・ＩＤＦ法による計算の結果、起点コンテンツとの類似度が高い参照コンテンツを、所定数決定する。
【００４８】
コンテンツ再パッケージ化部２６は、参照コンテンツ決定部２５で決定された、起点コンテンツとの類似度が高い参照コンテンツを、起点コンテンツに紐付けて再パッケージ化する。
【００４９】
コンテンツ配信部２７は、コンテンツ再パッケージ化部２６で再パッケージ化されたコンテンツを端末３に配信（提示）する。
【００５０】
追加コンテンツ決定部２８は、端末３に提示された起点コンテンツまたは参照コンテンツで、所定の内容が選択された場合、選択された内容に含まれる重要語と、参照コンテンツデータベース２４に記憶されている参照コンテンツの重要語との類似度を、ＴＦ・ＩＤＦ法により計算する。追加コンテンツ決定部２８は、ＴＦ・ＩＤＦ法による計算の結果、選択された内容に含まれる重要語との類似度が高い参照コンテンツを、所定数決定する。
【００５１】
図４は、端末３の機能構成例を示すブロック図である。
【００５２】
選択検知部４１は、ユーザが入力部１１を用いることで行われる、閲覧する電子書籍の選択、閲覧中の電子書籍におけるキーワード選択、閲覧中の電子書籍に紐付けられ表示されている参照コンテンツの選択、または閲覧終了コマンドの選択を検知する。
【００５３】
ログ情報取得部４２は、端末３で行われる処理のログ情報を取得する。
【００５４】
表示制御部４３は、ユーザにより閲覧指示された電子書籍、サーバ２から提示される電子書籍に関連する参照コンテンツの表示を制御する。
【００５５】
（第１の実施の形態のデータベース作成処理）
図５は、サーバ２が実行するデータベース作成処理を説明するフローチャートである。
【００５６】
ステップＳ１において、サーバ２の電子化部２１は、起点となる電子書籍のHTMLデータやXMLデータを本実施の形態で加工または処理可能な起点コンテンツに電子化する。ステップＳ２において、サーバ２の重要語決定部２２は、ステップＳ１の処理で電子化された起点コンテンツの内容を形態素解析し、形態素解析の結果から抽出される品詞の単語の登場回数および登場文書数から各単語の重要度を計算し、重要度の高い単語を重要語として決定する。
【００５７】
ステップＳ３において、サーバ２の重要語決定部２２は、ステップＳ２の処理で決定した重要語を、ステップＳ１の処理で電子化された起点コンテンツに紐付けて起点コンテンツデータベース２３に記憶させる。
【００５８】
ステップＳ４において、サーバ２の電子化部２１は、他のコンテンツ（例えば、他の電子書籍、ＷＥＢ記事、画像、映像、商品情報等）のデータを本実施の形態で加工または処理可能な参照コンテンツに電子化する。ステップＳ５において、サーバ２の重要語決定部２２は、ステップＳ４の処理で電子化された参照コンテンツの内容を形態素解析し、形態素解析の結果から抽出される品詞の登場回数が多い単語を重要語として決定する。
【００５９】
ステップＳ６において、サーバ２の重要語決定部２２は、ステップＳ５の処理で決定した重要語を、ステップＳ４の処理で電子化された参照コンテンツに紐付けて参照コンテンツデータベース２４に記憶させる。
【００６０】
ステップＳ７において、サーバ２の制御部１１は、全データの処理が終了したか否か、すなわち、全ての起点コンテンツおよび重要語を紐付けてコンテンツデータベース２３に記憶させ、かつ、全ての参照コンテンツおよび重要語を紐付けて参照コンテンツデータベース２４に記憶させる処理を行ったか否かを判定し、未だ全データの処理が終了していないと判定した場合、ステップＳ１およびステップＳ４に戻り、上述した処理を繰り返し実行する。
【００６１】
そして、ステップＳ７において、サーバ２の制御部１１は、全データの処理が終了したと判定した場合、データベース作成処理を終了する。
【００６２】
以上のように、サーバ２は、予め、起点コンテンツデータベース２３に起点コンテンツおよび重要語を紐付けて記憶させ、参照コンテンツデータベース２４に参照コンテンツおよび重要語を紐付けて記憶させる。
【００６３】
（第１の実施の形態の参照情報提示処理）
図６は、参照情報提示システム１が実行する参照情報提示処理を示すフローチャートである。なお、図７〜図１３を参照し、具体的な処理内容も説明する。
【００６４】
ステップＳ１１において、端末３の選択検知部４１は、ユーザによって所定のコンテンツ（電子書籍）の表示が指示されたことを検知する。ステップＳ１２において、端末３の制御部１１は、ネットワーク４を介してサーバ２に対し、ユーザによって選択されたコンテンツの配信を指示する。
【００６５】
ステップＳ１３において、サーバ２の参照コンテンツ決定部２５は、ネットワーク４を介して端末３から配信指示されたコンテンツを起点コンテンツデータベース２３から読み出し、読み出したコンテンツに紐付けられた重要語と、参照コンテンツデータベース２４の参照コンテンツに紐付けられた重要語との類似度をＴＦ・ＩＤＦ法により計算する。参照コンテンツ決定部２５は、類似度の計算の結果、起点コンテンツとの類似度が高い参照コンテンツを、所定数決定する。
【００６６】
ステップＳ１４において、サーバ２のコンテンツ再パッケージ化部２６は、ステップＳ１３の処理で決定された参照コンテンツを、起点コンテンツデータベース２３から読み出された起点コンテンツに紐付けて再パッケージ化する。
【００６７】
ステップＳ１５において、コンテンツ配信部２７は、ステップＳ１４の処理で再パッケージ化されたコンテンツを、ネットワーク４を介して端末３に配信する。
【００６８】
ステップＳ１６において、端末３の表示制御部４３は、ネットワーク４を介してサーバ２から配信されてきた、参照コンテンツが再パッケージ化されたコンテンツを受信し、コンテンツ表示画面を表示部１６に表示させる。
【００６９】
図７は、コンテンツ表示画面５１の表示例を示す図である。
【００７０】
図７に示すコンテンツ表示画面５１には、ユーザによって閲覧指示されたコンテンツを表示させるためのコンテンツ表示エリア５２、およびコンテンツ表示エリア５２に表示されているコンテンツの内容に関連する参照コンテンツを表示させるための参照コンテンツ表示エリア５３が表示されている。
【００７１】
図７の例の場合、コンテンツ表示エリア５２には、「化け物の進化」の著書名を持つ電子書籍（起点コンテンツ）が表示されており、参照コンテンツ表示エリア５３には、コンテンツ表示エリア５２に表示された起点コンテンツに関連する参照コンテンツＡ（「怪談物語」の映画タイトルを持つ動画）、参照コンテンツＢ（「世界の宗教」の著書名を持つ電子書籍）、参照コンテンツＣ（「名言マグカップ」の著書名を持つ電子書籍）、および参照コンテンツＤ（「お化けキーホルダー」の名前を持つ商品）等が表示されている。
【００７２】
また、コンテンツ表示画面５１において、コンテンツ表示エリア５２に表示されている「化け物の進化」の電子書籍（起点コンテンツ）には、例えば、「本（カテゴリ）」、「化け物の進化（タイトル）」、「寺田××（著者名）」、「教典（内容）」、「化け物（内容）、「宗教（内容）」、および「虎の皮の褌（内容）」の重要語がタグ情報として付与されている。
【００７３】
さらに、参照コンテンツ表示エリア５３に表示されている参照コンテンツＡには、「怪談」および「化け物」の重要語がタグ情報として付与され、参照コンテンツＢには、「教典」、「宗教」、「孫悟空」、「化け物」、「インド」、および「伝説」の重要語がタグ情報として付与され、参照コンテンツＣには、「マグカップ」、「名言」、および「寺田××」の重要語がタグ情報として付与され、参照コンテンツＤには、「キーホルダー」および「化け物」の重要語がタグ情報として付与されている。
【００７４】
なお、図７の表示例では、参照コンテンツ表示エリア５３がコンテンツ表示画面５１の片隅に表示される様子が示されているが、ユーザが自由に、参照コンテンツ表示エリア５３の表示・非表示を切り替えたり、表示位置を変更したりすることができる。
【００７５】
図８は、図７に示すコンテンツ表示画面５１における各コンテンツの紐付けの様子を模式的に示す図である。
【００７６】
図８に示すように、参照コンテンツＡは、起点コンテンツの「化け物」の重要語と紐付けられることで類似度が高いものとして提示され、参照コンテンツＢは、起点コンテンツの「教典」、「宗教」、および「化け物」の重要語と紐付けられることで類似度が高いものとして提示され、参照コンテンツＣは、起点コンテンツの「寺田××」の重要語と紐付けられることで類似度が高いものとして提示され、参照コンテンツＤは、起点コンテンツの「化け物」の重要語と紐付けられることで類似度が高いものとして提示されていることがわかる。
【００７７】
図６の説明に戻る。ステップＳ１７において、端末３の選択検知部４１は、ユーザによって参照コンテンツが選択されたか否か、つまり、図７のコンテンツ表示画面５１の参照コンテンツ表示エリア５３内の所定の参照コンテンツが選択されたか否かを判定し、参照コンテンツが選択されたと判定した場合、ステップＳ１２に戻り、上述した処理を繰り返し実行する。
【００７８】
例えば、図７に示すコンテンツ表示画面５１の参照コンテンツ表示エリア５３内の参照コンテンツＢが選択された場合、ステップＳ１２に戻り、端末３の制御部１１は、ネットワーク４を介してサーバ２に対し、参照コンテンツＢの配信を指示する。
【００７９】
参照コンテンツＢの配信指示に基づいて、サーバ２の追加コンテンツ決定部２８は、参照コンテンツＢに紐付けられた重要語（上述した例では、「教典」、「宗教」、「孫悟空」、「化け物」、「インド」、および「伝説」）と、参照コンテンツデータベース２４の他の参照コンテンツに紐付けられた重要語との類似度をＴＦ・ＩＤＦ法により計算し、類似度が高い他の参照コンテンツを、所定数決定する（ステップＳ１３）。コンテンツ再パッケージ化部２６は、決定された他の参照コンテンツを、参照コンテンツＢに紐付けて再パッケージ化する（ステップＳ１４）。コンテンツ配信部２７は、再パッケージ化された参照コンテンツＢを、ネットワーク４を介して端末３に配信する（ステップＳ１５）。
【００８０】
端末３の表示制御部４３は、ネットワーク４を介してサーバ２から配信されてきた、他の参照コンテンツが再パッケージ化された参照コンテンツＢを受信し、例えば、図９に示すようなコンテンツ表示画面６１を表示部１６に表示させる（ステップＳ１６）。
【００８１】
図９に示すコンテンツ表示画面６１は、基本的に図７に示したコンテンツ表示画面５１と同様であり、コンテンツ表示エリア６２および参照コンテンツ表示エリア６３が表示されている。なお、コンテンツ表示画面６１は、図７に示したコンテンツ表示画面５１のタイトルバーが少なくとも視認可能な状態で、コンテンツ表示画面５１上に重ねて表示される。
【００８２】
図９の例の場合、コンテンツ表示エリア６２には、「世界の宗教」の著書名を持つ電子書籍（参照コンテンツＢ）が表示されており、参照コンテンツ表示エリア６３には、コンテンツ表示エリア６２に表示された参照コンテンツＢに関連する参照コンテンツＥ、参照コンテンツＦ、参照コンテンツＧ等が表示されている。
【００８３】
また、コンテンツ表示画面６１において、コンテンツ表示エリア６２に表示されている「世界の宗教」の電子書籍（参照コンテンツＢ）には、例えば、「本（カテゴリ）」、「世界の宗教（タイトル）」、「青森××（著者名）」、「教典（内容）」、「宗教（内容）、「孫悟空（内容）」、「化け物（内容）」、「インド（内容）」、および「伝説（内容）」の重要語がタグ情報として付与されている。
【００８４】
さらに、参照コンテンツ表示エリア６３に表示されている参照コンテンツＥには、「宗教」および「伝説」の重要語がタグ情報として付与され、参照コンテンツＦには、「宗教」の重要語がタグ情報として付与され、参照コンテンツＧには、「インド」、「グルメ」、「観光」、および「旅」の重要語がタグ情報として付与されている。
【００８５】
つまり、参照コンテンツＥおよび参照コンテンツＦは、参照コンテンツＢの「宗教」の重要語と紐付けられることで類似度が高いものとして提示され、参照コンテンツＧは、参照コンテンツＢの「インド」の重要語と紐付けられることで類似度が高いものとして提示されていることがわかる。
【００８６】
そして、ユーザは、図９に示すコンテンツ表示画面６１において、さらに、参照コンテンツ表示エリア６３の参照コンテンツＧを選択すると、端末３の制御部１１は、参照コンテンツＧの配信を指示する（ステップＳ１２）。この指示に基づいて、サーバ２は、参照コンテンツＧとの類似度が高い他の参照コンテンツを決定し（ステップＳ１３）、参照コンテンツＧに類似度が高い他の参照コンテンツを紐付けて再パッケージ化し（ステップＳ１４）、再パッケージ化された参照コンテンツＧを端末３に配信する（ステップＳ１５）。端末３の表示制御部４３は、サーバ２から配信されてきた、他の参照コンテンツが再パッケージ化された参照コンテンツＧを受信し、例えば、図１０に示すようなコンテンツ表示画面７１を表示部１６に表示させる（ステップＳ１６）。
【００８７】
図１０に示すコンテンツ表示画面７１は、基本的に図７に示したコンテンツ表示画面５１等と同様であり、コンテンツ表示エリア７２および参照コンテンツ表示エリア７３が表示されている。なお、コンテンツ表示画面７１は、図７に示したコンテンツ表示画面５１および図９に示したコンテンツ表示画面６１のタイトルバーが少なくとも視認可能な状態で、それらの画面上に重ねて表示される。
【００８８】
図１０の例の場合、コンテンツ表示エリア７２には、「△△旅行会社」の「インド旅行」の案内を示すＷＥＢサイト（参照コンテンツＧ）が表示されており、参照コンテンツ表示エリア７３には、コンテンツ表示エリア７２に表示された参照コンテンツＧに関連する参照コンテンツＨ、参照コンテンツＩ、参照コンテンツＪ等が表示されている。
【００８９】
また、コンテンツ表示画面７１において、コンテンツ表示エリア７２に表示されている「インド旅行」のＷＥＢサイト（参照コンテンツＧ）には、例えば、「ＷＥＢ（カテゴリ）」、「インド旅行（タイトル）」、「△△旅行会社（タイトル）」、「インド（内容）」、「グルメ（内容）」、および「旅行（内容）」の重要語がタグ情報として付与されている。
【００９０】
さらに、参照コンテンツ表示エリア７３に表示されている参照コンテンツＨには、「インド」の重要語がタグ情報として付与され、参照コンテンツＩには、「グラス」、「インド」、および「グルメ」の重要語がタグ情報として付与され、参照コンテンツＪには、「インド」および「グルメ」の重要語がタグ情報として付与されている。
【００９１】
つまり、参照コンテンツＨは、参照コンテンツＧの「インド」の重要語と紐付けられることで類似度が高いものとして提示され、参照コンテンツＩおよび参照コンテンツＪは、参照コンテンツＧの「インド」および「グルメ」の重要語と紐付けられることで類似度が高いものとして提示されていることがわかる。
【００９２】
そして、ユーザは、図１０に示すコンテンツ表示画面７１において、「詳細はこちら」の名称が付与されたボタン７４を押下すると、「△△旅行会社」が提供する「インド旅行」のＷＥＢサイトをサーバ２から受信し、例えば、図１１に示すような詳細情報画面８１を表示させることができる。
【００９３】
このように、ユーザは、「化け物の進化」の電子書籍（起点コンテンツ）の閲覧中に、電子書籍の片隅に提示された参照コンテンツを巡る（選択する）ことで、「インド旅行」の詳細情報に辿り着くことができる。
【００９４】
また、ユーザは、図１０に示すコンテンツ表示画面７１において、さらに、参照コンテンツ表示エリア７３の参照コンテンツＩを選択すると、端末３の制御部１１は、参照コンテンツＩの配信を指示する（ステップＳ１２）。この指示に基づいて、サーバ２は、参照コンテンツＩとの類似度が高い他の参照コンテンツの決定、コンテンツの再パッケージ化、およびコンテンツ配信を行う（ステップＳ１３〜Ｓ１５）。端末３の表示制御部４３は、サーバ２から配信されてきた、再パッケージ化された参照コンテンツＩを受信し、例えば、図１２に示すようなコンテンツ表示画面９１を表示部１６に表示させる（ステップＳ１６）。
【００９５】
図１２に示すコンテンツ表示画面９１は、基本的に図７に示したコンテンツ表示画面５１等と同様であり、コンテンツ表示エリア９２および参照コンテンツ表示エリア９３が表示されている。なお、コンテンツ表示画面９１は、図７に示したコンテンツ表示画面５１、図９に示したコンテンツ表示画面６１、および図１０に示したコンテンツ表示画面７１のタイトルバーが少なくとも視認可能な状態で、それらの画面上に重ねて表示される。
【００９６】
図１２の例の場合、コンテンツ表示エリア９２には、「ＡＡＡ通信販売」の案内を示すＷＥＢサイト（参照コンテンツＩ）が表示されており、参照コンテンツ表示エリア９３には、コンテンツ表示エリア９２に表示された参照コンテンツＩに関連する参照コンテンツＫ、参照コンテンツＬ、参照コンテンツＭ等が表示されている。
【００９７】
そして、ユーザは、図１２に示すコンテンツ表示画面９１において、「購入」の名称が付与されたボタン９４を押下すると、「ＡＡＡ通信販売」が提供する「インドグラス」の購入ＷＥＢサイトをサーバ２から受信し、例えば、図１３に示すような購入画面１０１を表示させることができる。
【００９８】
このように、ユーザは、「化け物の進化」の電子書籍（起点コンテンツ）の閲覧中に、電子書籍の片隅に提示された参照コンテンツを巡る（選択する）ことで、「インドグラス」の購入に辿り着くことができる。
【００９９】
図６の説明に戻る。ステップＳ１７において、端末３の選択検知部４１は、ユーザによって参照コンテンツが選択されたか否か、参照コンテンツが選択されていないと判定した場合、ステップＳ１８に進み、さらに、ユーザによって閲覧終了が指示されたか否かを判定する。
【０１００】
ステップＳ１８において、端末３の選択検知部４１は、ユーザによって閲覧終了が指示されていないと判定した場合、ステップＳ１７に戻り、上述した処理を繰り返し実行する。そして、ステップＳ１８において、端末３の選択検知部４１は、ユーザによって閲覧終了が指示されたと判定した場合、コンテンツ配信処理を終了する。
【０１０１】
以上の処理によって、ユーザは、電子書籍（起点コンテンツ）の閲覧中に、現在の画面に表示されているテキスト、章、または節といったシーンに関連する参照コンテンツの提示を受けることができる。また、ユーザは、参照コンテンツを選択することで、さらに参照コンテンツに関連する他の参照コンテンツの提示を受けることができる。
【０１０２】
以上においては、端末３で電子書籍の閲覧が指示されると、その指示に基づいて、サーバ２が、電子書籍の内容に関連する参照コンテンツを決定し、端末３に提示するようにしたが、サーバ２上で、全ての処理を行うことも勿論可能である。
【０１０３】
また、サーバ２は、参照コンテンツを決定する度に、その参照コンテンツを起点コンテンツに紐付けて再パッケージ化するようにしたが、これに限らず、例えば、予め、起点コンテンツに参照コンテンツを紐付けてパッケージ化した情報を保持しておくことで、パッケージ化されたコンテンツを迅速に端末３に配信（提示）することが可能となる。
【０１０４】
［本発明の第１の実施の形態における効果］
１．以上のように、サーバは、ユーザが閲覧中の電子書籍の現在の画面に表示されているテキスト、章、または節といった意味のある単位における全ての品詞をもとに重要語を決定し、シーンに特化した参照コンテンツを決定し、電子書籍表示画面上に表示させることができる。これによって、ユーザは、容易に参照コンテンツを閲覧（選択）することが可能となる。
２．また、ユーザが電子書籍表示画面上の参照コンテンツを選択すると、サーバは、選択された参照コンテンツの内容から関連する他の参照コンテンツをさらに決定し、つながりがわかるように他の参照コンテンツ表示画面を表示させることができる。
３．起点コンテンツの内容に関連する参照コンテンツ、および、参照コンテンツの内容に関連する他の参照コンテンツがツリー構造で紐付いているため、ユーザは、電子書籍（起点コンテンツ）の表示画面を残しつつ、複数の参照コンテンツの表示画面を自由に行き来することができ、興味や関心を広げるきっかけになる。
【０１０５】
［本発明の第２の実施の形態］
次に、本発明の第２の実施の形態について説明する。
【０１０６】
第２の実施の形態において、基本的なコンテンツ配信システム１の構成（図１）、サーバ２（端末３）のハードウェア構成（図２）は、第１の実施の形態と同様である。第１の実施の形態では、閲覧指示された電子書籍（起点コンテンツ）の現在の画面に表示されているテキスト、章、または節といった意味のある単位における全ての品詞をもとに重要語を決定し、シーンに特化した参照情報を提示するようにしたが、第２の実施の形態では、閲覧中の電子書籍（起点コンテンツ）においてユーザによってキーワードが選択されると、その選択キーワードをもとに重要語を決定し、参照情報を提示することを特徴とするものである。
【０１０７】
（第２の実施の形態のデータベース作成処理）
図１４は、第２の実施の形態におけるサーバ２が実行するデータベース作成処理を説明するフローチャートである。なお、ステップＳ２３〜ステップＳ２５の処理は、上述した図５のフローチャートに示すステップＳ４〜ステップＳ６の処理と同様であるため、その説明は適宜省略する。
【０１０８】
ステップＳ２１において、サーバ２の電子化部２１は、起点となる電子書籍のHTMLデータやXMLデータを本実施の形態で加工または処理可能な起点コンテンツに電子化する。ステップＳ２２において、サーバ２の電子化部２１は、ステップＳ１の処理で電子化した起点コンテンツを起点コンテンツデータベース２３に記憶させる。
【０１０９】
ステップＳ２３〜Ｓ２５においては、他のコンテンツが参照コンテンツに電子化され、参照コンテンツから重要語が決定され、決定された重要語が参照コンテンツ紐付けられて参照コンテンツデータベース２４に記憶される。
【０１１０】
ステップＳ２６において、サーバ２の制御部１１は、全データの処理が終了したか否か、すなわち、全ての起点コンテンツを起点コンテンツデータベース２３に記憶させ、かつ、全ての参照コンテンツおよび重要語を紐付けて参照コンテンツデータベース２４に記憶させる処理を行ったか否かを判定し、未だ全データの処理が終了していないと判定した場合、ステップＳ２１およびステップＳ２３に戻り、上述した処理を繰り返し実行する。
【０１１１】
ステップＳ２６において、サーバ２の制御部１１は、全データの処理が終了したと判定した場合、データベース作成処理を終了する。
【０１１２】
以上のように、サーバ２は、予め、起点コンテンツデータベース２３に起点コンテンツのみを記憶させ、参照コンテンツデータベース２４に参照コンテンツおよび重要語を紐付けて記憶させる。
【０１１３】
（第２の実施の形態の参照情報提示処理）
図１５は、参照情報提示システム１が実行する参照情報提示処理を示すフローチャートである。
【０１１４】
ステップ３１において、端末３の選択検知部４１は、ユーザによって所定のコンテンツ（電子書籍）の表示が指示されたことを検知する。ステップＳ３２において、端末３の制御部１１は、ネットワーク４を介してサーバ２に対し、コンテンツ配信を指示する。
【０１１５】
ステップＳ３３において、サーバ２の制御部１１は、ネットワーク４を介して端末３から配信指示されたコンテンツを起点コンテンツデータベース２３から読み出し、読み出したコンテンツを、ネットワーク４を介して端末３に配信する。
【０１１６】
ステップＳ３４において、端末３の表示制御部４３は、ネットワーク４を介してサーバ２から配信されてきたコンテンツを受信し、コンテンツ表示画面を表示部１６に表示させる。
【０１１７】
図１６は、コンテンツ表示画面の表示例を示す図である。
【０１１８】
図１６に示すコンテンツ表示画面１１１には、ユーザによって閲覧指示されたコンテンツを表示させるためのコンテンツ表示エリア１１２が表示されている。図１６の例の場合、コンテンツ表示エリア１１２には、「化け物の進化」の著書名を持つ電子書籍（起点コンテンツ）が表示されている。
【０１１９】
図１５の説明に戻る。ステップＳ３５において、端末３の選択検知部４１は、ユーザによってキーワードが選択されたか否か、つまり、ユーザによってコンテンツ表示画面１１１のコンテンツ表示エリア１１２内でキーワードが選択されたか否かを判定し、キーワードが未だ選択されていないと判定した場合、ステップＳ３４の処理に戻り、上述した処理を繰り返し実行する（表示状態を維持する）。
【０１２０】
ステップＳ３５において、端末３の選択検知部４１は、ユーザによってキーワードが選択されたと判定した場合、ステップＳ３６に進み、端末３の制御部１１は、ネットワーク４を介してサーバ２に対し、選択キーワードを送信する。
【０１２１】
例えば、図１６に示すコンテンツ表示画面１１１のコンテンツ表示エリア１１２において、ユーザによって、「虎の皮の褌を着けた鬼」の一文（図中における網掛け表示）が選択されると、その一文が選択キーワードとしてサーバ２に送信される。
【０１２２】
ステップＳ３７において、サーバ２の重要語決定部２４は、ネットワーク４を介して端末３から送信されてきたキーワードを受信し、ステップＳ３８において、受信したキーワードの内容を形態素解析し、重要語を決定する。例えば、「虎の皮の褌を着けた鬼」の一文から、「虎」、「褌」、および「鬼」が重要語として決定される。
【０１２３】
ステップＳ３９において、サーバ２の参照コンテンツ決定部２５は、ステップＳ３８の処理で決定された重要語（いまの場合、「虎」、「褌」、および「鬼」）と、参照コンテンツデータベース２４の参照コンテンツに紐付けられた重要語との類似度をＴＦ・ＩＤＦ法により計算する。参照コンテンツ決定部２５は、類似度の計算の結果、起点コンテンツとの類似度が高い参照コンテンツを、所定数決定する。
【０１２４】
ステップＳ４０において、サーバ２のコンテンツ配信部２７は、ステップＳ３９の処理で決定された参照コンテンツを、ネットワーク４を介して端末３に配信する。
【０１２５】
ステップＳ４１において、端末３の表示制御部４３は、ネットワーク４を介してサーバ２から配信されてきた参照コンテンツを受信し、コンテンツ表示画面１１１に表示させる。これにより、例えば、図１７に示すように、コンテンツ表示画面１１１には、コンテンツ表示エリア１１２で選択されたキーワード（虎の皮の褌を着けた鬼）に関連する参照コンテンツを表示させるための参照コンテンツ表示エリア１１３がさらに表示される。
【０１２６】
図１７の例の場合、参照コンテンツ表示エリア１１３には、コンテンツ表示エリア１１２に表示された起点コンテンツで選択されたキーワードに関連する参照コンテンツＡ（「怪談物語」の映画タイトルを持つ動画）、参照コンテンツＢ（「世界の宗教」の著書名を持つ電子書籍）、参照コンテンツＣ（「名言マグカップ」の著書名を持つ電子書籍）、および参照コンテンツＣ（「お化けキーホルダー」の名前を持つ商品）等が表示されている。
【０１２７】
図１５の説明に戻る。ステップＳ４２において、端末３の選択検知部４１は、ユーザによって参照コンテンツが選択されたか否か、つまり、図１７のコンテンツ表示画面１１１の参照コンテンツ表示エリア１１３内の所定の参照コンテンツが選択されたか否かを判定し、参照コンテンツが選択されたと判定した場合、ステップＳ４３に進む。
【０１２８】
ステップＳ４３において、端末３の制御部１１は、ネットワーク４を介してサーバ２に対し、参照コンテンツの配信を指示する。ステップＳ３９において、サーバ２の追加コンテンツ決定部２８は、ネットワーク４を介して端末３から配信指示された参照コンテンツに紐付けられた重要語と、参照コンテンツデータベース２４の他の参照コンテンツに紐付けられた重要語との類似度をＴＦ・ＩＤＦ法により計算し、類似度が高い他の参照コンテンツを、所定数決定する。
【０１２９】
ステップＳ４０において、サーバ２のコンテンツ再パッケージ化部２６は、ステップＳ３９の処理で決定された他の参照コンテンツを、参照コンテンツに紐付けて再パッケージ化する。サーバ２のコンテンツ配信部２７は、再パッケージ化されたコンテンツを、ネットワーク４を介して端末３に配信する。
【０１３０】
ステップＳ４１において、端末３の表示制御部４３は、ネットワーク４を介してサーバ２から配信されてきた参照コンテンツを受信し、例えば、図９に示したようなコンテンツ表示画面６１を表示部１６に表示させる。なお、参照コンテンツが選択された場合の具体的な処理例は、第１の実施の形態で詳述しているため、ここでは省略する。
【０１３１】
図１５の説明に戻る。ステップＳ４２において、端末３の選択検知部４１は、ユーザによって参照コンテンツが選択されたか否か、参照コンテンツが選択されていないと判定した場合、ステップＳ４４に進み、さらに、ユーザによって閲覧終了が指示されたか否かを判定する。
【０１３２】
ステップＳ４４において、端末３の選択検知部４１は、ユーザによって閲覧終了が指示されていないと判定した場合、ステップＳ４２に戻り、上述した処理を繰り返し実行する。そして、ステップＳ４４において、端末３の選択検知部４１は、ユーザによって閲覧終了が指示されたと判定した場合、コンテンツ配信処理を終了する。
【０１３３】
以上の処理によって、ユーザは、閲覧中の電子書籍（起点コンテンツ）で、気になる一文をキーワードとして選択することで、そのキーワードに関連する参照コンテンツの提示を受けることができる。また、ユーザは、参照コンテンツを選択することで、さらに参照コンテンツに関連する他の参照コンテンツの提示を受けることができる。
【０１３４】
［発明の第２の実施の形態における効果］
１．以上のように、サーバは、ユーザにより閲覧中の電子書籍内でキーワードが選択されると、そのキーワードから関連する参照コンテンツを決定し、電子書籍表示画面上に表示させることができる。これによって、ユーザは、容易に参照コンテンツを閲覧（選択）することが可能となる。
２．また、ユーザが電子書籍表示画面上の参照コンテンツを選択すると、サーバは、選択された参照コンテンツの内容から関連する他の参照コンテンツをさらに決定し、つながりがわかるように他の参照コンテンツ表示画面を表示させることができる。
３．電子書籍内で選択されたキーワード、およびキーワードに関連する参照コンテンツがツリー構造で紐付いているため、ユーザは、電子書籍（起点コンテンツ）の表示画面を残しつつ、複数の参照コンテンツの表示画面を自由に行き来することができ、興味や関心を広げるきっかけになる。
【０１３５】
［変形例］
以上の処理では、図９および図１０等に示したように、縦書きの電子書籍の起点コンテンツの表示画面５１を上に配置し、参照コンテンツの表示画面６１、７１を順次下に表示させるようにしたが、これに限らず、例えば、図１８に示すように、起点コンテンツの表示画面５１を右に配置し、参照コンテンツの表示画面６１を順次左に表示させるようにしてもよい。
【０１３６】
また、例えば、図１９に示すように、横書きの電子書籍の起点コンテンツの表示画面５１を上に配置し、参照コンテンツの表示画面６１を順次下に表示させるようにしたり、あるいは、図２０に示すように、横書きの電子書籍の起点コンテンツの表示画面５１を左に配置し、参照コンテンツの表示画面６１を順次右に表示させるようにしてもよい。
【０１３７】
また第２の実施の形態においては、ユーザによって選択されたキーワードから重要語を決定するようにしたが、これに限らず、選択されたキーワードを含む段落から重要語を決定するようにしてもよい。これにより、重要語の近傍にある周辺語も参照コンテンツを紐付けるための重要語として扱うことができ、よりさまざまな参照コンテンツを紐付けることが可能となる。
【０１３８】
以上、添付図面を参照しながら、本発明に係る参照情報提示置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１３９】
１………参照情報提示システム
２………サーバ
３………端末
４………ネットワーク
１１………制御部
１２………記憶部
１６………表示部
２２………重要語決定部
２３………起点コンテンツデータベース
２４………参照コンテンツデータベース
２５………参照コンテンツ決定部
２６………コンテンツ再パッケージ化部
２７………コンテンツ配信部
【図１】
2014191417.tif 000003
【図２】
2014191417.tif 000004
【図３】
2014191417.tif 000005
【図４】
2014191417.tif 000006
【図５】
2014191417.tif 000007
【図６】
2014191417.tif 000008
【図７】
2014191417.tif 000009
【図８】
2014191417.tif 000010
【図９】
2014191417.tif 000011
【図１０】
2014191417.tif 000012
【図１１】
2014191417.tif 000013
【図１２】
2014191417.tif 000014
【図１３】
2014191417.tif 000015
【図１４】
2014191417.tif 000016
【図１５】
2014191417.tif 000017
【図１６】
2014191417.tif 000018
【図１７】
2014191417.tif 000019
【図１８】
2014191417.tif 000020
【図１９】
2014191417.tif 000021
【図２０】
2014191417.tif 000022